(57)【要約】【課題】電池からの電源供給を受ける端子構造は従来のまま維持しつつ、外部電源による長期の給電も可能となる構造とされた携帯通信装置を提供することにある。【解決手段】通常の収納室蓋１１に代わる外部電源取込用収納室蓋１４と、この外部電源取込用収納室蓋１４の内面側に取着されたうえで電池９に代わって電池収納室１０内に収納される補助部品１５とを具備しており、この補助部品１５には内部接続端子１２，１３のそれぞれと各別に接触しあう延長接続端子１８，１９が配設されている一方、外部電源取込用収納室蓋１４には、外部電線１６が接続される電線接続端子と、この電線接続端子と接続されたうえで補助部品１５の延長接続端子１８，１９それぞれと各別に接触しあう中間接続端子２０とが配設されていることを特徴とする。【選択図】　　図１
2004064127.tif 000002
【特許請求の範囲】
【請求項１】
装置本体内に形成された電池収納室と、着脱自在とされて電池収納室を閉塞する収納室蓋とを備えており、電池収納室内には、収納された電池の電極それぞれと各別に接触しあう内部接続端子が電池の長手方向に沿って対向配置されてなる携帯通信装置であって、
通常の収納室蓋に代わる外部電源取込用収納室蓋と、この外部電源取込用収納室蓋の内面側に取着されたうえで電池に代わって電池収納室内に収納される補助部品とを具備しており、
この補助部品には内部接続端子のそれぞれと各別に接触しあう延長接続端子が配設されている一方、
外部電源取込用収納室蓋には、外部電線が接続される電線接続端子と、この電線接続端子と接続されたうえで補助部品の延長接続端子それぞれと各別に接触しあう中間接続端子とが配設されていることを特徴とする携帯通信装置。
【請求項２】
補助部品は電池の長手方向に沿ったスライド移動を可能とするスライド構造を介して外部電源取込用収納室蓋の内面側に取着されており、
外部電源取込用収納室蓋及び補助部品のそれぞれに配設された中間接続端子及び延長接続端子のうちのいずれか一方は平面構造を有し、かつ、その他方はスライド移動に伴って平面構造を有する端子と滑らかに接触する板バネ構造を有していることを特徴とする請求項１に記載の携帯通信装置。
【請求項３】
電池収納室内には、極性を逆向きとして収納された２本の電池それぞれの第１及び第２の電極と各別に接触しあう第１及び第２の内部接続端子が対向配置されている一方、補助部品には第１及び第２の内部接続端子と各別に接触しあう第１及び第２の延長接続端子が配設されており、
この補助部品は、第１の延長接続端子がいずれか一方の電池の第１の電極と接触しあう第１の内部接続端子と接触し、かつ、その第２の延長接続端子が他方の電池の第２の電極と接触しあう第２の内部接続端子と接触する順方向状態としても、あるいは、第１の延長接続端子がいずれか一方の電池の第２の電極と接触しあう第２の内部接続端子と接触し、かつ、その第２の延長接続端子が他方の電池の第１の電極と接触しあう第１の内部接続端子と接触する逆方向状態としても取着が可能とされていることを特徴とする請求項１または請求項２に記載の携帯通信装置。
【発明の詳細な説明】
【０００１】
【発明の属する技術分野】
本発明は携帯通信装置に係り、特には、その外部電源取り込み構造に関する。
【０００２】
【従来の技術】
従来の形態に係る携帯通信装置の全体構造を、図５で示す説明図に基づいて説明する。なお、図５（ａ）は携帯通信装置の外観正面図、図５（ｂ）はその外観背面図であり、図５（ｃ）は収納室蓋を外した状態を示す携帯通信装置の外観背面図である。
【０００３】
この携帯通信装置は各種の必要部品が内蔵された装置本体１を備えており、この装置本体１の正面側には、図５（ａ）で示すように、スピーカ発音孔２が開口されると共に、動作状態を表示するためのＬＥＤ３が配設されている。そして、装置本体１の正面側にはマイク集音孔４も開口されており、この携帯通信装置は無線アンテナ５を介しての通報や会話が可能なものとなっている。
【０００４】
また、装置本体１の正面側に配設された前面蓋６を手前側へと回動して拡げると、装置本体１に配設された緊急通報用のコールボタン７や、無線通信回線がつながるか否かを自主テストするためのテストボタン８が現れることになり、これらのボタン７，８は必要に応じて操作される。
【０００５】
一方、装置本体１の背面側には、図５（ｂ）で示すように、電源となる電池９を収納する電池収納室１０が装置本体１内を穿った状態で形成されており、この電池収納室１０は収納室蓋１１によって覆われたうえで閉塞されている。なお、この際における電池９としては、市販品である乾電池が利用される。
【０００６】
さらに、図５（ｃ）で示すように、着脱自在な収納室蓋１１でもって閉塞される電池収納室１０内には、収納される電池９の電極９ａ，９ｂそれぞれと各別に接触する伸縮型内部接続端子１２及び固定型内部接続端子１３が電池９の長手方向Ｌに沿う状態となったうえで対向配置されている。なお、この電池収納室１０内には、２本の電池９が各々の極性を逆向きとした並列状態で収納されるのが一般的である。
【０００７】
そのため、この際における電池収納室１０では、各電池９の第１の電極９ａ、つまり、マイナス（−）電極と接触しあう伸縮型内部接続端子１２と、各電池９の第２の電極９ｂ、つまり、プラス（＋）電極と接触しあう固定型内部接続端子１３との各々も、電池９の長手方向に沿って逆向きとなる構成とされたうえで電池収納室１０の内壁面ごとに配設されている。なお、伸縮型内部接続端子１２は金属線をコイルバネ形状として作製されたものであり、固定型内部接続端子１３は金属平板から作製されたものである。
【０００８】
すなわち、このような構成とされた携帯通信装置においては、電池収納室１０内に左右一対として収納された電池９それぞれのマイナス電極である第１の電極９ａが伸縮型内部接続端子１２と接触し、かつ、そのプラス電極である第２の電極９ｂが固定型内部接続端子１３と接触することによって電源供給される。
【０００９】
【発明が解決しようとする課題】
ところで、この種の携帯通信装置は、老齢者や肢体不自由者などである使用者の安全を確保するための緊急時連絡用などとして使用されるのが一般的であり、動作可能な状態のままで使用者によって常時携行されることを前提としている。従って、この携帯通信装置の動作用電源としては、日常生活の場ですぐにも入手可能な電池、具体的には、市販品である乾電池などのような通常電池を使用する方式が採用されている。
【００１０】
一方、広く普及している携帯電話器などでは、専用の充電池が電話器本体内に組み込まれており、対応する専用充電台と接続したうえで充電されるのが一般的となっている。また、携行先などで充電池の充電不足が発生した場合に備えるための充電池セットも広く販売されている。そこで、このような充電方式を携帯通信装置、つまり、緊急時連絡用などとして使用される携帯通信装置についても適用することが考えられる。
【００１１】
しかしながら、充電方式の携帯通信装置である場合には、使用者が基本的には心身に異常を来しやすい人々であることにも起因し、専用充電台と接続して充電中であることを忘却して外出した後、その外出中に緊急事態が生じることも起こりかねず、携帯通信装置が本来的に発揮するべき機能が役立たないこととなる恐れがある。そのため、使用者が常時身に付けていることが必要とされる携帯通信装置では、やはり充電方式ではなくて通常電池を使用する方式を採用する方が望ましい。
【００１２】
なお、携行先などで充電池セットを使用するのであれば、新品の電池を購入したうえで交換するだけで済む方が簡便なことは明らかである。このような事情から、緊急時連絡用などとして使用される携帯通信装置では、通常電池を使用する方式が一般的に採用されており、充電方式の採用は見送られているのが実状である。
【００１３】
ところが、最近、この種の携帯通信装置における電源供給源として、乾電池などのような通常電池以外の電源、例えば、自動車のシガー電源やコンセント電源などの安定した供給が期待できる他の電源を使用したいという要望が強まっている。そして、この場合にあっても、従来通りの電池を使用することが可能な基本的構造を維持しながら電池以外の安定した電源をも使用することが可能な構成とされた携帯通信装置を実現することが強く望まれている。
【００１４】
本発明に係る携帯通信装置はこのような要望に応えて創案されたものであり、電池からの電源供給を受ける端子構造は従来のまま維持しつつ、外部電源による長期の給電も可能となる構造とされた携帯通信装置の提供を目的としている。
【００１５】
【課題を解決するための手段】
請求項１記載の発明に係る携帯通信装置は、装置本体内に形成された電池収納室と、着脱自在とされて電池収納室を閉塞する収納室蓋とを備えており、電池収納室内には、収納された電池の電極それぞれと各別に接触しあう内部接続端子が電池の長手方向に沿って対向配置されている。そして、この携帯通信装置は、通常の収納室蓋に代わる外部電源取込用収納室蓋と、この外部電源取込用収納室蓋の内面側に取着されたうえで電池に代わって電池収納室内に収納される補助部品とを具備している。
【００１６】
また、この補助部品には、内部接続端子のそれぞれと各別に接触しあう延長接続端子が配設されている一方、外部電源取込用収納室蓋には、外部電線が接続される電線接続端子と、この電線接続端子と接続されたうえで補助部品の延長接続端子それぞれと各別に接触しあう中間接続端子とが配設されている。
【００１７】
請求項２記載の発明に係る携帯通信装置は請求項１に記載したものであって、補助部品は電池の長手方向に沿ったスライド移動を可能とするスライド構造を介して外部電源取込用収納室蓋の内面側に取着されている。そして、外部電源取込用収納室蓋及び補助部品のそれぞれに配設された中間接続端子及び延長接続端子のうちのいずれか一方は平面構造を有し、かつ、その他方はスライド移動に伴って平面構造を有する端子と滑らかに接触する板バネ構造を有するものとされている。
【００１８】
請求項３記載の発明に係る携帯通信装置は請求項１または請求項２に記載したものであり、電池収納室内には、極性を逆向きとして収納された２本の電池それぞれの第１及び第２の電極と各別に接触しあう第１及び第２の内部接続端子が対向配置されている一方、補助部品には第１及び第２の内部接続端子と各別に接触しあう第１及び第２の延長接続端子が配設されている。
【００１９】
そして、この際における補助部品は、第１の延長接続端子がいずれか一方の電池の第１の電極と接触しあう第１の内部接続端子と接触し、かつ、その第２の延長接続端子が他方の電池の第２の電極と接触しあう第２の内部接続端子と接触する順方向状態として取着されることになっている。あるいはまた、第１の延長接続端子がいずれか一方の電池の第２の電極と接触しあう第２の内部接続端子と接触し、かつ、その第２の延長接続端子が他方の電池の第１の電極と接触しあう第１の内部接続端子と接触する逆方向状態としても取着が可能とされている。
【００２０】
【発明の実施の形態】
図１は本実施の形態に係る携帯通信装置の全体構造をその背面側から見た状態を示す斜視図であり、この図１では外部電源取込用収納室蓋が装置本体から取り外された状態が示されている。そして、図２は補助部品が取着されていない外部電源取込用収納室蓋をその内面側から見た状態を示す斜視図、図３は補助部品が取着された外部電源取込用収納室蓋をその内面側から見た状態を示す斜視図であり、図４は図３中のＡ−Ａ線に沿って切断された外部電源取込用収納室蓋の構造を示す斜視図である。
【００２１】
ところで、本実施の形態に係る携帯通信装置の全体構造は、従来の形態に係る携帯通信装置と基本的に異ならない。従って、その全体構造については図５を参照しながら説明することとし、ここでの詳しい説明は省略する。なお、図１において、図５と互いに同一となる部品、部分については同一符号を付している。
【００２２】
本実施の形態に係る携帯通信装置は、従来同様、無線通信機能を有し、かつ、緊急時連絡用などとして使用されるものであり、無線アンテナ５が立設された装置本体１の正面側には、図５（ａ）で示したように、スピーカ発音孔２及びマイク集音孔４が開口されると共に、動作状態を表示するためのＬＥＤ３が配設されている。そして、装置本体１の正面側には前面蓋６が回動可能として配設されており、この前面蓋６の裏面側には、緊急通報用のコールボタン７や自主テスト用のテストボタン８が配設されている。
【００２３】
また、装置本体１の背面側には、図５（ｂ），（ｃ）で示すように、電源となる市販品の乾電池である２本の電池９を収納する電池収納室１０が装置本体１内を穿つようにしたうえで形成されており、この電池収納室１０の開放面は着脱自在な収納室蓋１１によって閉塞される構成となっている。すなわち、携帯通信装置は、装置本体１内に形成された電池収納室１０と、この電池収納室１０を閉塞する収納室蓋１１とを備えている。
【００２４】
さらに、電池収納室１０内には、電源となる左右一対の電池９、つまり、一般的には市販の乾電池である電池９が、各々の極性を逆向きとした並列状態で収納されることとなっている。このとき、電池収納室１０内には、収納される各電池９の電極９ａ，９ｂそれぞれと各別に接触しあう一対ずつの伸縮型内部接続端子１２及び固定型内部接続端子１３が電池９それぞれの長手方向Ｌに沿った状態で対向配置されている。
【００２５】
すなわち、この際にあっては、各電池９の第１の電極９ａ、つまり、平面的なマイナス電極と接触しあうコイルバネ形状を有する伸縮型内部接続端子１２と、各電池９の第２の電極９ｂ、つまり、突起形状を有するプラス電極と接触しあう固定型内部接続端子１３とのそれぞれが、並列状態として収納された各電池９の長手方向Ｌに沿って逆向きとなる構成で電池収納室１０の内壁面ごとに配設されている。そこで、この携帯通信装置でも、従来同様、電池収納室１０内に収納された各電池９の第１の電極９ａが伸縮型内部接続端子１２に接触し、かつ、これらの第２の電極９ｂそれぞれが固定型内部接続端子１３に接触することによって電源供給される。
【００２６】
一方、本実施の形態に係る携帯通信装置は、図１で示すように、前記した通常の収納室蓋１１に代えて使用される着脱自在な外部電源取込用収納室蓋１４と、この外部電源取込用収納室蓋１４の内面側に取着されたうえで２本の電池９に代わって電池収納室１０内に収納される補助部品１５とを具備している。そして、ＡＢＳ樹脂を用いて作製された成型品である外部電源取込用収納室蓋１４は、電池収納室１０内に収納された電池９の長手方向Ｌに沿ってスライド動作させられた外部電源取込用収納室蓋１４の係止爪１４ａが装置本体１に形成された係止孔１ａと係合しあうのに伴って装置本体１へと装着される。
【００２７】
また、図１及び図２で示すように、外部電源取込用収納室蓋１４は外向きに突出した中空の突起部１４ｂを有しており、この際における外部電源取込用収納室蓋１４には、突起部１４ｂへと引き込まれた外部電線１６の端末が接続される差し込みジャック型などの電線接続端子（図示省略）と、この電線接続端子と接続されたうえで補助部品１５の延長接続端子１８，１９それぞれと各別に接触しあう左右一対の中間接続端子２０とが配設されている。
【００２８】
このとき、電線接続端子と中間接続端子２０とは、他の必要部品（図示省略）が搭載されたプリント配線基板２１を介したうえで接続されており、このプリント配線基板２１はネジ止めなどの簡易な手法でもって突起部１４ｂの内側開口を閉塞する状態として取着されている。なお、電線接続端子と接続された外部電線１６の他方の端末は、図示省略しているが、自動車のシガー電源やコンセント電源などのような電源、つまり、安定した供給が期待できる他の電源に接続されている。
【００２９】
さらに、これら中間接続端子２０の各々は図２で示すような平面構造を有する金属線であることになっており、これらの中間接続端子１９は電池収納室１０内と対面するプリント配線基板２１の内面上に露出させられている。なお、ここでは、プリント配線基板２１の外面上に配設された差し込みジャック型などの電線接続端子に外部電線１６の端末を接続するとしているが、例えば、プリント配線基板２１の外面上に形成された配線パターンまたは金属線に対する半田付けなどによって外部電線１６の端末が直接的に接続されていてもよい。
【００３０】
また、この際における外部電源取込用収納室蓋１４の内側面上には、後述するスライド構造を構成することになる左右一対の板状突起１４ｃが、電池９の長手方向Ｌと直交する方向で対向しあう内向きに突出した状態で形成されている。
【００３１】
さらにまた、補助部品１５もＡＢＳ樹脂を用いて作製された成型品であり、この補助部品１５は、電池９の長手方向Ｌに沿ったスライド移動を可能とするスライド構造を介して外部電源取込用収納室蓋１４の内面側に取着され、かつ、外部電源取込用収納室蓋１４と一体的に組み合わされることになる。すなわち、この際における補助部品１５は、図３で示すように、その両側の側面上から外向きに突出した板状突起１５ａの各々が外部電源取込用収納室蓋１４の板状突起１４ｃそれぞれで押さえられながらスライド移動することになっており、これら板状突起１４ｃ，１５ａの組み合わせによっては、補助部品１５を外部電源取込用収納室蓋１４に取着するためのスライド構造が構成されている。
【００３２】
そして、この補助部品１５には、外部電源取込用収納室蓋１４が電池収納室１０を閉塞したのに伴って伸縮型内部接続端子１２及び固定型内部接続端子１３と各別に接触しあう左右一対の延長接続端子１８，１９が配設されている。なお、この際においては、伸縮型内部接続端子１２がコイルバネ形状を有し、かつ、固定型内部接続端子１３が平面形状であるため、伸縮型内部接続端子１２と接触しあう第１の延長接続端子１８は、固定型内部接続端子１３と接触しあう第２の延長接続端子１９よりも電池９の長手方向Ｌに沿って内側となる位置に後退した状態で配置されており、この第２の延長接続端子１９の後部位置には、伸縮型内部接続端子１２を収納する凹部１５ｂが形成されている。
【００３３】
また、このとき、第１及び第２の延長接続端子１８，１９それぞれは、図４で示すように、金属板を屈曲形成することによって作製されている。すなわち、これらの延長接続端子１８，１９は、補助部品１５がスライド移動させられながら外部電源取込用収納室蓋１４に取着されるに際し、平面構造を有する中間接続端子２０の各々と滑らかに接触する板バネ構造を有するものとされている。なお、延長接続端子１８，１９が板バネ構造を有し、中間接続端子２０が平面構造を有する必然性があるわけではなく、延長接続端子１８，１９が平面構造を有しており、かつ、中間接続端子２０が板バネ構造を有していてもよい。
【００３４】
このように、本実施の形態に係る携帯通信装置の装置本体１には電池収納室１０が形成されており、この電池収納室１０内には、極性を逆向きとして収納された２本の電池９それぞれの第１及び第２の電極９ａ，９ｂと各別に接触しあう第１及び第２の内部接続端子１２，１３が対向配置されている。また、外部電源取込用収納室蓋１４の内面側に取着されたうえで２本の電池９に代わって電池収納室１０に収納される補助部品１５には、第１及び第２の内部接続端子１２，１３と各別に接触しあう第１及び第２の延長接続端子１８，１９が配設されている。
【００３５】
従って、この補助部品１５は、いずれか一方の電池９の第１の電極９ａと接触しあう第１の内部接続端子１２と第１の延長接続端子１８が接触し、かつ、その第２の延長接続端子１９が他方の電池９の第２の電極９ｂと接触しあう第２の内部接続端子１３と接触する順方向状態として電池収納室１０内に収納される。そのため、電池収納室１０内に配設された内部接続端子１２，１３のそれぞれは、補助部品１５の延長接続端子１８，１９及び外部電源取込用収納室蓋１４の中間接続端子２０それぞれを介して外部電源取込用収納室蓋１４の電線接続端子と接続されていることになり、その結果として携帯通信装置に対する電源供給が行われる。
【００３６】
ところで、本実施の形態では、補助部品１５が順方向状態として電池収納室１０内に収納されるとしている。しかしながら、電池収納室１０内における補助部品１５の収納状態が順方向状態に限定されることはなく、この補助部品１５は逆方向状態としても電池収納室１０内に収納可能となる形状、つまり、その中央横断線Ｂを中心として全く同じ形状の部材が接合されているように補助部品１５を形成しているものである。
【００３７】
すなわち、補助部品１５がこのような形状を有している場合には、図示省略しているが、補助部品１５における第１の延長接続端子１８がいずれか一方の電池９の第２の電極９ｂと接触しあう第２の内部接続端子１３と接触し、かつ、その第２の延長接続端子１９が他方の電池９の第１の電極９ａと接触しあう第１の内部接続端子１２と接触する逆方向状態となるようにして電池収納室１０内に収納することが可能となる。
【００３８】
【発明の効果】
請求項１記載の発明に係る携帯通信装置であれば、乾電池などのような通常電池からの電源供給を受ける端子構造は従来通り維持したまま、自動車のシガー電源やコンセント電源などのような外部電源を利用した長期の給電をも容易に行うことが可能になる。従って、この携帯通信装置の使用しやすさが大幅に増大するという効果が得られる。
【００３９】
請求項２記載の発明に係る携帯通信装置であれば、簡単な接続構造でもって外部電源による電源供給を実現することが可能となる。しかも、滑らかな接続構造であるため、接続作業に腕力を要することがなく、老齢者や肢体不自由者などであっても外部電源の接続作業が容易であるという利点が確保される。
【００４０】
請求項３記載の発明に係る携帯通信装置であれば、補助部品が線対称形状を有しているので、外部電源取込用収納室蓋に対する方向性を考慮する必要がなく、老齢者や肢体不自由者などにとっても外部電源の利用が極めて容易になるという効果が得られる。
【図面の簡単な説明】
【図１】本実施の形態に係る携帯通信装置の全体構造を背面側から見た状態を示す斜視図である。
【図２】本実施の形態に係る補助部品が取着されていない外部電源取込用収納室蓋を内面側から見た状態を示す斜視図である。
【図３】本実施の形態に係る補助部品が取着された外部電源取込用収納室蓋を内面側から見た状態を示す斜視図である。
【図４】図３中のＡ−Ａ線に沿って切断された外部電源取込用収納室蓋の構造を示す斜視図である。
【図５】従来の形態に係る携帯通信装置の全体構造を簡略化して示す説明図である。
【符号の説明】
１　　装置本体
９　　電池
９ａ　第１の電極（マイナス電極）
９ｂ　第２の電極（プラス電極）
１０　　電池収納室
１１　　収納室蓋
１２　　伸縮型内部接続端子（第１の内部接続端子）
１３　　固定型内部接続端子（第２の内部接続端子）
１４　　外部電源取込用収納室蓋
１５　　補助部品
１６　　外部電線
１８　　第１の延長接続端子
１９　　第２の延長接続端子
２０　　中間接続端子
Ｌ　　電池の長手方向
【図１】
2004064127.tif 000003
【図２】
2004064127.tif 000004
【図３】
2004064127.tif 000005
【図４】
2004064127.tif 000006
【図５】
2004064127.tif 000007